(57)【要約】【課題】電子機器において、意図せずにキーが押されることによって誤動作が起こるのを防ぐこと。【解決手段】キー４のトップ部１１が押されていない状態では、支持部材２１の弾性復帰力によってキー４のシャフト部１５の先端、もしくはキー４のシャフト部１５の先端が支持部材２１で覆われている場合には支持部材２１の先端がスイッチ３１から離れる。キー４のトップ部１１の片方の隆起部１２，１３のみが押されている状態では、支持部材２１が弾性変形してキー４が傾き、キー４のシャフト部１５の先端もしくはキー４のシャフト部１５を覆う支持部材２１の先端がスイッチ３１から離れる。キー４のトップ部１１の両隆起部１２，１３が押されている状態では、支持部材２１が弾性変形してキー４のシャフト部１５の先端もしくはキー４のシャフト部１５を覆う支持部材２１の先端がスイッチ３１に当たる。【選択図】図４
2014199771.tif 000002
【特許請求の範囲】
【請求項１】
中央部に窪み部を有するトップ部、前記トップ部から伸びるシャフト部、及び前記トップ部から前記シャフト部の伸びる方向に対して交差する方向へ突出するフランジ部を有するキーと、
前記キーが挿入される貫通孔を有するケースと、
前記貫通孔を通って前記トップ部が前記ケースの外面から突出する状態で前記ケースの内側から前記ケースの内面に前記フランジ部を押し当てるように前記キーを支持する弾性変形可能な支持部材と、
前記ケース内における前記シャフト部の先端、もしくは前記シャフト部の先端が前記支持部材で覆われている場合には前記支持部材の先端が相対峙する位置に固定されるスイッチと、
を備え、
前記トップ部に前記ケース内へ向かって押される力がかかっていない第１の状態のときに、前記支持部材の弾性復帰力によって前記シャフト部の先端、もしくは前記シャフト部の先端が前記支持部材で覆われている場合には前記支持部材の先端が前記スイッチから離れ、
前記トップ部の前記窪み部を挟む両端のうちの一方の端部のみが前記ケース内へ向かって押されている第２の状態のときに、前記支持部材が弾性変形して前記キーが傾くことによって前記シャフト部の先端、もしくは前記シャフト部の先端が前記支持部材で覆われている場合には前記支持部材の先端が前記スイッチから離れ、
前記トップ部の前記窪み部を挟む両端が前記ケース内へ向かって押されている第３の状態のときに、前記支持部材が弾性変形して前記シャフト部の先端、もしくは前記シャフト部の先端が前記支持部材で覆われている場合には前記支持部材の先端が前記スイッチに当たることを特徴とするキー構造体。
【請求項２】
前記窪み部の幅は指先の幅よりも狭いことを特徴とする請求項１に記載のキー構造体。
【請求項３】
前記第２の状態では前記トップ部の他方の端部側の前記フランジ部と前記ケースの内面との接点を支点にして前記キーが回転することによって前記キーが傾くことを特徴とする請求項１または２に記載のキー構造体。
【請求項４】
中央部に窪み部を有するトップ部、前記トップ部から伸びるシャフト部、及び前記トップ部から前記シャフト部の伸びる方向に対して交差する方向へ突出するフランジ部を有するキーと、
前記キーが挿入される貫通孔を有するケースと、
前記貫通孔を通って前記トップ部が前記ケースの外面から突出する状態で前記ケースの内側から前記ケースの内面に前記フランジ部を押し当てるように前記キーを支持する弾性変形可能な支持部材と、
前記ケース内における前記シャフト部の先端、もしくは前記シャフト部の先端が前記支持部材で覆われている場合には前記支持部材の先端が相対峙する位置に固定されるスイッチと、
を備え、
前記トップ部に前記ケース内へ向かって押される力がかかっていない第１の状態のときに、前記支持部材の弾性復帰力によって前記シャフト部の先端、もしくは前記シャフト部の先端が前記支持部材で覆われている場合には前記支持部材の先端が前記スイッチから離れ、
前記トップ部の前記窪み部を挟む両端のうちの一方の端部のみが前記ケース内へ向かって押されている第２の状態のときに、前記支持部材が弾性変形して前記キーが傾くことによって前記シャフト部の先端、もしくは前記シャフト部の先端が前記支持部材で覆われている場合には前記支持部材の先端が前記スイッチから離れ、
前記トップ部の前記窪み部を挟む両端が前記ケース内へ向かって押されている第３の状態のときに、前記支持部材が弾性変形して前記シャフト部の先端、もしくは前記シャフト部の先端が前記支持部材で覆われている場合には前記支持部材の先端が前記スイッチに当たる構造のキー構造体を備えることを特徴とする電子機器。
【請求項５】
前記窪み部の幅は、電子機器を保持するホルダから突出して前記電子機器の外面に接触する突起の幅よりも広く、
前記トップ部の前記窪み部に前記ホルダの前記突起が入る第４の状態のときに、前記シャフト部の先端、もしくは前記シャフト部の先端が前記支持部材で覆われている場合には前記支持部材の先端が前記スイッチから離れることを特徴とする請求項４に記載の電子機器。
【発明の詳細な説明】
【技術分野】
【０００１】
この発明は、キー構造体及び電子機器に関する。
【背景技術】
【０００２】
従来、キーの押し間違えを防ぐため、装置本体の外面から突出するキーを装置本体の外面よりも装置本体内に押し込むことによって、スイッチのオンオフを切り替えるようにしたキー構造がある（例えば、特許文献１参照）。また、適切な位置を押すことができるように、キー上面の中央部に窪み部を設けたキー構造がある（例えば、特許文献２参照）。また、キーの両端をシーソーのように交互に押してスイッチのオンオフを切り替えることからシーソースイッチとも呼ばれるロッカースイッチがある（例えば、特許文献３参照）。
【先行技術文献】
【特許文献】
【０００３】
【特許文献１】特開２００２−３４６１９０号公報
【特許文献２】実開平３−１３１０３１号公報
【特許文献３】実開昭５５−１７３８１７号公報
【発明の概要】
【発明が解決しようとする課題】
【０００４】
しかしながら、従来のキー構造では、キーの大きさが指先よりも小さい場合、キーを押す指先がキー周辺の装置本体の外面に当たってしまうため、キーを装置本体の外面よりも深く押し込むのは困難である。つまり、キーを押してスイッチのオンオフを切り替えることができないという問題点がある。例えば携帯電話機やスマートフォンなどの携帯端末は小型で薄いため、指先よりも小さいキーが用いられている。従って、キーを携帯端末の外面よりも深く押し込むことは著しく困難であるため、スイッチを操作することができない。
【０００５】
ところで、ホルダに携帯端末を装着して充電や通信を行うことがある。ホルダには、携帯端末を安定して保持するために携帯端末の外面に接触する複数の突起が設けられていることがある。上述するように、指先よりも小さいキーを携帯端末の外面よりも深く押し込むことが困難であるため、キーは携帯端末の外面よりも突出しており、キーを携帯端末の外面と同じレベルまで押せばスイッチのオンオフを切り替えることができるようになっている。そのため、ホルダに携帯端末を装着する際に、携帯端末のキーがホルダの突起によって意図せずに押されてしまい、スイッチのオンオフが誤って切り替わってしまうことがあるという問題点がある。
【０００６】
意図せずにキーが押されることによって誤動作が起こるのを防ぐことができるキー構造体及び電子機器を提供することを目的とする。
【課題を解決するための手段】
【０００７】
キー構造体及び電子機器は、キー、ケース、支持部材及びスイッチを有する。キーは、中央部に窪み部を有するトップ部、トップ部から伸びるシャフト部、及びトップ部からシャフト部の伸びる方向に対して交差する方向へ突出するフランジ部を有する。ケースは、キーが挿入される貫通孔を有する。支持部材は、ケースの貫通孔を通ってキーのトップ部がケースの外面から突出する状態でケースの内側からケースの内面にキーのフランジ部を押し当てるようにキーを支持する。支持部材は弾性変形可能である。スイッチは、ケース内におけるキーのシャフト部の先端、もしくはキーのシャフト部の先端が支持部材で覆われている場合には支持部材の先端が相対峙する位置に固定される。
【０００８】
そして、キーのトップ部にケース内へ向かって押される力がかかっていない第１の状態のときに、支持部材の弾性復帰力によってキーのシャフト部の先端、もしくはキーのシャフト部の先端が支持部材で覆われている場合には支持部材の先端がスイッチから離れる。また、キーのトップ部の窪み部を挟む両端のうちの一方の端部のみがケース内へ向かって押されている第２の状態のときに、支持部材が弾性変形してキーが傾くことによってキーのシャフト部の先端、もしくはキーのシャフト部の先端が支持部材で覆われている場合には支持部材の先端がスイッチから離れる。また、キーのトップ部の窪み部を挟む両端がケース内へ向かって押されている第３の状態のときに、支持部材が弾性変形してキーのシャフト部の先端、もしくはキーのシャフト部の先端が支持部材で覆われている場合には支持部材の先端がスイッチに当たる。
【発明の効果】
【０００９】
このキー構造体及び電子機器によれば、意図せずにキーが押されることによって誤動作が起こるのを防ぐことができるという効果を奏する。
【図面の簡単な説明】
【００１０】
【図１】図１は、実施の形態にかかる電子機器の一例を示す図である。
【図２】図２は、実施の形態にかかる電子機器の一例を示す図である。
【図３】図３は、図２に示す電子機器のキー部分の一例を拡大して示す図である。
【図４】図４は、実施の形態にかかるキー構造体の第１の例を示す図である。
【図５】図５は、図４に示すキー構造体を分解して示す図である。
【図６】図６は、図４に示すキー構造体の動作の一例を示す図（その１）である。
【図７】図７は、図４に示すキー構造体の動作の一例を示す図（その２）である。
【図８】図８は、図４に示すキー構造体の動作の一例を示す図（その３）である。
【図９】図９は、図４に示すキー構造体の動作の一例を示す図（その４）である。
【図１０】図１０は、図１に示す電子機器がホルダに装着されている状態を示す図である。
【図１１】図１１は、実施の形態にかかるキー構造体の第２の例を示す図である。
【発明を実施するための形態】
【００１１】
以下に添付図面を参照して、このキー構造体及び電子機器の好適な実施の形態を詳細に説明する。以下の各実施例の説明においては、同様の構成要素には同一の符号を付して、重複する説明を省略する。
【００１２】
・電子機器の一例
図１及び図２は、実施の形態にかかる電子機器の一例を示す図であり、図１は背面図、図２は背面側の斜視図である。
【００１３】
図１及び図２に示すように、電子機器１は、特に限定しないが、例えばケース２の側面３にキー４を有していてもよい。このキー４が押されることによって電子機器１のケース２内に設けられているスイッチが押され、スイッチのオンオフが切り替わるようになっていてもよい。
【００１４】
電子機器１は例えば携帯電話機やスマートフォンなどの携帯型通信端末であってもよいし、携帯型音楽プレイヤーや携帯型ゲーム機などであってもよい。なお、電子機器１は携帯型のものに限らない。電子機器１が例えばスマートフォンである場合、図１及び図２に示されている面がスマートフォンの背面であるので、図に現れていない側の面に表示部が設けられていてもよい。
【００１５】
図３は、図２に示す電子機器のキー部分の一例を拡大して示す図である。図３に示すように、キー４において、ケース２の側面３から突出するトップ部１１は、例えばケース２の側面３の長手方向に沿って伸びる長方形状をしており、その長方形状の長手方向の両端に例えば山形状の隆起部１２，１３を有する。キー４のトップ部１１において、両隆起部１２，１３に挟まれる中央部は谷形状の窪み部１４となっている。
【００１６】
なお、キー４のトップ部１１の形状は正方形状、円形状、長円形状または楕円形状など、種々の形状であってもよい。ここでは、キー４のトップ部１１の形状が長方形状であるとして説明する。
【００１７】
キー４は、後述するキー構造体の構成要素の一つであってもよい。つまり、後述するキー構造体は、図３に示すキー４を備えていてもよい。本実施例では、後述するキー構造体が、図３に示すキー４を備えているとして説明する。
【００１８】
・キー構造体の第１の例
図４は、実施の形態にかかるキー構造体の第１の例を示す図である。図５は、図４に示すキー構造体を分解して示す図である。図４及び図５において、ケース２内には回路基板や配線、その他の電子部品または電池などがあるが、図示省略されている。
【００１９】
図４及び図５に示すように、キー４はトップ部１１、シャフト部１５及びフランジ部１６，１７を有していてもよい。シャフト部１５は、トップ部１１から、トップ部１１の隆起部１２，１３が設けられている側と反対側へ伸びる。フランジ部１６，１７は、トップ部１１からシャフト部１５の伸びる方向に対して交差する方向へ突出している。
【００２０】
ケース２は、正面側のケース、すなわちフロントケース６と、背面側のケース、すなわちリアケース７とが組み合わされてできている。ケース２は、キー４が挿入される貫通孔８、及び貫通孔８から繋がる空洞部９を有する。空洞部９は、貫通孔８からキー４のトップ部１１の隆起部１２，１３をケース２の側面よりも突出させる状態でキー４を収納する。
【００２１】
キー４のフランジ部１６，１７が貫通孔８の周囲のケース２の内面に当たることによって、貫通孔８からキー４が脱落しないようになっている。また、空洞部９は、支持部材２１及びスイッチ３１を収納する。
【００２２】
支持部材２１は、弾性変形可能な材料、例えばラバーでできていてもよい。あるいは、後述するキー構造体の第２の例のように、支持部材２１は圧縮コイルバネでできていてもよいし、その他の弾性を有する部材でできていてもよい。本実施例では支持部材２１がラバーでできている場合について説明する。
【００２３】
支持部材２１は、例えば胴部２２及びフランジ部２３を有していてもよい。胴部２２は例えば筒状で底を有していてもよい。胴部２２には、キー４のシャフト部１５が挿入される。支持部材２１のフランジ部２３は胴部２２の開口端において外向きに突出している。支持部材２１のフランジ部２３は、ケース２の空洞部９の中程で空洞部９の内面から内向きに突出する仕切壁１０に、ケース２の貫通孔８側から当たる。それによって、支持部材２１が空洞部９の内部に取り付けられている。
【００２４】
シャフト部１５の先端は、胴部２２の底を押す状態で底に当たっている。それによって、胴部２２が弾性変形して伸びた状態になっており、伸びた胴部２２が元に戻ろうとする弾性復帰力によってキー４にケース２の外側へ向かう力が作用し、キー４のフランジ部１６，１７が貫通孔８の周囲のケース２の内面に押し当てられる。
【００２５】
一方、伸びた胴部２２が元に戻ろうとする弾性復帰力によって、支持部材２１のフランジ部２３はケース２の空洞部９内の仕切壁１０に押しつけられる。支持部材２１がラバーでできているため、支持部材２１のフランジ部２３がパッキンの役目を果たし、支持部材２１のフランジ部２３と仕切壁１０との間が密閉される。それによって、キー４のトップ部１１とケース２の側面３の貫通孔８との間の隙間から水や粉塵が入っても、水や粉塵がケース２内のさらに奥へ侵入しないようになっている。
【００２６】
スイッチ３１は、ケース２の空洞部９内において、支持部材２１の胴部２２の底に相対峙し、かつキー４のトップ部１１が押されていない第１の状態のときに胴部２２の底から離れる位置に固定されている。例えば、スイッチ３１は、ケース２の空洞部９の突き当たりの内面に取り付けられていてもよい。
【００２７】
なお、支持部材２１の胴部２２に底がなく、キー４のシャフト部１５の先端が露出している場合、スイッチ３１は、シャフト部１５の先端に相対峙し、かつキー４のトップ部１１が押されていない第１の状態のときにシャフト部１５の先端から離れる位置に固定されている。また、スイッチ３１は、次の図６〜図８に示す状態を満たす位置に固定されている。
【００２８】
図６〜図９は、図４に示すキー構造体の動作の一例を示す図である。図６には、キー４のトップ部１１の一方の隆起部１３のみが押されている第２の状態が示されている。図６に示すように、指や物体４１によってキー４のトップ部１１の一方の隆起部１３のみが押されると、支持部材２１が弾性変形してキー４が傾き、押されている隆起部１３がケース２の空洞部９内に収納され、押されていない隆起部１２はケース２の側面３よりも突出する状態となる。
【００２９】
上述する第１の状態から図６に示す第２の状態へ遷移する過程及びその逆の過程において、支持部材２１の胴部２２の底はスイッチ３１から離れている。胴部２２に底がなく、キー４のシャフト部１５の先端が露出している場合には、シャフト部１５の先端がスイッチ３１から離れている。スイッチ３１は、ケース２の空洞部９において、このような状態を実現できる位置に固定されている。
【００３０】
図７には、キー４のトップ部１１のもう一方の隆起部１２のみが押されている第２の状態が示されている。図７に示すように、指や物体４１によってキー４のトップ部１１のもう一方の隆起部１２のみが押される場合も、支持部材２１が弾性変形してキー４が傾く。そして、支持部材２１の胴部２２の底か、または胴部２２に底がなく、キー４のシャフト部１５の先端が露出している場合にはシャフト部１５の先端は、スイッチ３１から離れている。スイッチ３１は、ケース２の空洞部９において、このような状態を実現できる位置に固定されている。
【００３１】
図８には、キー４のトップ部１１の両隆起部１２，１３が押されている第３の状態が示されている。図８に示すように、指や物体４１によってキー４のトップ部１１の両隆起部１２，１３が押されると、支持部材２１が弾性変形して支持部材２１の胴部２２がさらに伸び、両隆起部１２，１３がケース２の空洞部９内に収納される状態となる。それによって、支持部材２１の胴部２２の底がスイッチ３１に当たる。胴部２２に底がなく、キー４のシャフト部１５の先端が露出している場合には、シャフト部１５の先端がスイッチ３１に当たる。スイッチ３１は、ケース２の空洞部９において、このような状態を実現できる位置に固定されている。
【００３２】
図４に示すキー構造体によれば、キー４のトップ部１１の両隆起部１２，１３が一緒に押されるとスイッチ３１のオンオフが切り替わるが、どちらか一方の隆起部１２，１３のみが押されてもキー４が傾くだけでスイッチ３１のオンオフは切り替わらない。意図的にキー４を押す場合にはキー全体を押すため、キー４のトップ部１１の両隆起部１２，１３が一緒に押され、スイッチ３１のオンオフが正しく切り替わる。一方、意図せずにキー４の端が押されると一方の隆起部１２，１３のみが押されるため、スイッチ３１のオンオフは切り替わらない。従って、意図せずにキー４が押されることによってスイッチ３１が誤動作するのを防ぐことができる。
【００３３】
図９には、キー４のトップ部１１の窪み部１４が押される第４の状態が示されている。図９に示すように、指や物体４１がキー４のトップ部１１の窪み部１４に位置しても、窪み部１４の幅が指や物体４１の幅よりも広ければ、窪み部１４の中に指や物体４１の先端が入ることになる。そのため、指や物体４１によって窪み部１４が押されることによってキー４がスイッチ３１へ向かって移動する量は、上述する第３の状態における移動量よりも少なくなる。
【００３４】
第４の状態におけるキー４の移動量が、支持部材２１の胴部２２の底か、または胴部２２に底がなく、キー４のシャフト部１５の先端が露出している場合にはシャフト部１５の先端がスイッチ３１に届かない量であれば、スイッチ３１のオンオフは切り替わらない。従って、スイッチ３１は、ケース２の空洞部９において、このような状態を実現できる位置に固定されており、また窪み部１４の幅が指や物体４１の幅よりも広くなっていてもよい。
【００３５】
ただし、意図的にキー４を押す場合には、キー４のトップ部１１の両隆起部１２，１３を一緒に押すため、窪み部１４の幅が指先の幅よりも広いと、指１本で両隆起部１２，１３を一緒に押すことが困難になってしまう。そこで、窪み部１４の幅は指先の幅よりも狭いのが望ましい。つまり、窪み部１４の幅は、キー４を押す物体の幅よりも広く、かつ指先の幅よりも狭いのが好ましい。
【００３６】
窪み部１４の幅が、キー４を押す物体の幅よりも広ければ、キー４を押す物体が窪み部１４を押しても、支持部材２１の胴部２２の底か、または胴部２２に底がなく、キー４のシャフト部１５の先端が露出している場合にはシャフト部１５の先端は、スイッチ３１から離れている。従って、窪み部１４の幅よりも幅が狭い物体によってキー４が押されても、スイッチ３１が誤動作するのを防ぐことができる。一方、窪み部１４の幅が指先の幅よりも狭ければ、指１本でキー４のトップ部１１の両隆起部１２，１３を一緒に押すことができるため、キー４の操作性を損うことなく、スイッチ３１のオンオフを正しく切り替えることができる。
【００３７】
・電子機器の使用状態の一例
図１０は、図１に示す電子機器がホルダに装着されている状態を示す図である。図１０に示すように、電子機器１がホルダ４２に装着される場合、窪み部１４の幅は、キー４を押す物体の幅よりも広いのが好ましい。キー４を押す物体は、例えばホルダ４２から突出して電子機器１の側面３に接触する突起４３であってもよい。図１０において、符号５は表示部である。
【００３８】
例えば図１０に示す例のように、ホルダ４２に電子機器１が装着されている状態においてホルダ４２の突起４３が電子機器１のキー４よりも上方に位置することがある。この場合、ホルダ４２に電子機器１をホルダ４２の上から下げながら装着する際にキー４がホルダ４２の突起４３によって押されることになる。
【００３９】
具体的に示すと、ホルダ４２に電子機器１が装着される際、電子機器１が下がってくると、まず、図６に示すように、ホルダ４２の突起４３（図６では、符号４１）によってキー４のトップ部１１の下側の隆起部１３が押される状態となる。上述するように、この状態では、キー４がスイッチ３１に当たらないため、スイッチのオンオフは切り替わらない。
【００４０】
電子機器１がさらに下がると、図９に示すように、ホルダ４２の突起４３（図９では、符号４１）がキー４のトップ部１１の窪み部１４に位置する状態となる。上述するように、この状態でも、キー４がスイッチ３１に当たらないため、スイッチのオンオフは切り替わらない。窪み部１４の面がケース２の側面３よりも突出しないようになっていてもよい。そうすれば、ホルダ４２の突起４３がキー４のトップ部１１の窪み部１４に位置する状態でも、ホルダ４２の突起４３によってキー４が押されている状態にはならない。
【００４１】
電子機器１がさらに下がると、図７に示すように、ホルダ４２の突起４３（図７では、符号４１）によってキー４のトップ部１１の上側の隆起部１２が押される状態となる。上述するように、この状態でも、キー４がスイッチ３１に当たらないため、スイッチのオンオフは切り替わらない。そして、電子機器１がさらに下がると図１０に示す状態となる。このように、この一連の状態の変化においてホルダ４２の突起４３によってキー４が押されても、スイッチのオンオフが切り替わらないため、誤作動が起こるのを防ぐことができる。
【００４２】
ホルダ４２から電子機器１が取り外される際には、装着の際の逆の状態を経る。従って、ホルダ４２の突起４３によってキー４が押されても、スイッチのオンオフが切り替わらないため、誤作動が起こるのを防ぐことができる。それに対して、図８に示すように、指先によってキー４のトップ部１１の両隆起部１２，１３が一緒に押されると、キー４がスイッチ３１に当たり、スイッチのオンオフが切り替わるため、スイッチ３１が正常に動作する。
【００４３】
このように、ホルダ４２の突起４３を考慮して電子機器１に図４に示すキー構造体を適用することによって、電子機器１において、ホルダ４２の突起４３と干渉する位置にキー４を設けることができる。従って、電子機器１においてキー４の配置の自由度が高まり、電子機器１のユーザにとって操作性に優れる位置にキー４を配置することができる。
【００４４】
また、図６に示す第２の状態において、指や物体４１によってキー４のトップ部１１の下側の隆起部１３が押される場合、キー４の上側のフランジ部１６とケース２の内面との接点を支点にしてキー４が回転することによってキー４が傾いてもよい。また、図７に示す第２の状態において、指や物体４１によってキー４のトップ部１１の上側の隆起部１２が押される場合、キー４の下側のフランジ部１７とケース２の内面との接点を支点にしてキー４が回転することによってキー４が傾いてもよい。そうすれば、キー４を回転可能に支持するための軸などを設けずに済むため、キー４の操作性を損なうことなく、部品点数を削減してキー構造体の構成を簡素にできる。
【００４５】
・キー構造体の第２の例
図１１は、実施の形態にかかるキー構造体の第２の例を示す図である。図１１に示すように、第２の例では、支持部材は圧縮コイルバネ５１，５２である。上側の圧縮コイルバネ５１は、キー４のトップ部１１の上側の隆起部１２とケース２の空洞部９内の上側の仕切壁５３との間に設けられてもよい。下側の圧縮コイルバネ５２は、キー４のトップ部１１の下側の隆起部１３とケース２の空洞部９内の下側の仕切壁５４との間に設けられてもよい。
【００４６】
図１１に示すキー構造体によれば、キー４のトップ部１１の両隆起部１２，１３が一緒に押されるとスイッチ３１のオンオフが切り替わるが、どちらか一方の隆起部１２，１３のみが押されてもキー４が傾くだけでスイッチ３１のオンオフは切り替わらない。従って、意図せずにキー４が押されることによってスイッチ３１が誤動作するのを防ぐことができる。なお、キー４のシャフト部１５を巻くように圧縮コイルバネ５２が設けられていてもよい。
【００４７】
図４または図１１に示すキー構造体を有する電子機器によれば、意図せずにキー４が押されることによってスイッチ３１が誤動作するのを防ぐことができる。また、キー４の操作性を損なうことなく、部品点数を削減してキー構造体の構成を簡素にすることができる。また、ホルダ４２の突起４３と干渉する位置にもキー４を設けることができるため、ユーザにとって操作性に優れる位置にキー４を配置することができる。
【００４８】
上述した各実施例を含む実施形態に関し、さらに以下の付記を開示する。
【００４９】
（付記１）中央部に窪み部を有するトップ部、前記トップ部から伸びるシャフト部、及び前記トップ部から前記シャフト部の伸びる方向に対して交差する方向へ突出するフランジ部を有するキーと、前記キーが挿入される貫通孔を有するケースと、前記貫通孔を通って前記トップ部が前記ケースの外面から突出する状態で前記ケースの内側から前記ケースの内面に前記フランジ部を押し当てるように前記キーを支持する弾性変形可能な支持部材と、前記ケース内における前記シャフト部の先端、もしくは前記シャフト部の先端が前記支持部材で覆われている場合には前記支持部材の先端が相対峙する位置に固定されるスイッチと、を備え、前記トップ部に前記ケース内へ向かって押される力がかかっていない第１の状態のときに、前記支持部材の弾性復帰力によって前記シャフト部の先端、もしくは前記シャフト部の先端が前記支持部材で覆われている場合には前記支持部材の先端が前記スイッチから離れ、前記トップ部の前記窪み部を挟む両端のうちの一方の端部のみが前記ケース内へ向かって押されている第２の状態のときに、前記支持部材が弾性変形して前記キーが傾くことによって前記シャフト部の先端、もしくは前記シャフト部の先端が前記支持部材で覆われている場合には前記支持部材の先端が前記スイッチから離れ、前記トップ部の前記窪み部を挟む両端が前記ケース内へ向かって押されている第３の状態のときに、前記支持部材が弾性変形して前記シャフト部の先端、もしくは前記シャフト部の先端が前記支持部材で覆われている場合には前記支持部材の先端が前記スイッチに当たることを特徴とするキー構造体。
【００５０】
（付記２）前記窪み部の幅は指先の幅よりも狭いことを特徴とする付記１に記載のキー構造体。
【００５１】
（付記３）前記第２の状態では前記トップ部の他方の端部側の前記フランジ部と前記ケースの内面との接点を支点にして前記キーが回転することによって前記キーが傾くことを特徴とする付記１または２に記載のキー構造体。
【００５２】
（付記４）中央部に窪み部を有するトップ部、前記トップ部から伸びるシャフト部、及び前記トップ部から前記シャフト部の伸びる方向に対して交差する方向へ突出するフランジ部を有するキーと、前記キーが挿入される貫通孔を有するケースと、前記貫通孔を通って前記トップ部が前記ケースの外面から突出する状態で前記ケースの内側から前記ケースの内面に前記フランジ部を押し当てるように前記キーを支持する弾性変形可能な支持部材と、前記ケース内における前記シャフト部の先端、もしくは前記シャフト部の先端が前記支持部材で覆われている場合には前記支持部材の先端が相対峙する位置に固定されるスイッチと、を備え、前記トップ部に前記ケース内へ向かって押される力がかかっていない第１の状態のときに、前記支持部材の弾性復帰力によって前記シャフト部の先端、もしくは前記シャフト部の先端が前記支持部材で覆われている場合には前記支持部材の先端が前記スイッチから離れ、前記トップ部の前記窪み部を挟む両端のうちの一方の端部のみが前記ケース内へ向かって押されている第２の状態のときに、前記支持部材が弾性変形して前記キーが傾くことによって前記シャフト部の先端、もしくは前記シャフト部の先端が前記支持部材で覆われている場合には前記支持部材の先端が前記スイッチから離れ、前記トップ部の前記窪み部を挟む両端が前記ケース内へ向かって押されている第３の状態のときに、前記支持部材が弾性変形して前記シャフト部の先端、もしくは前記シャフト部の先端が前記支持部材で覆われている場合には前記支持部材の先端が前記スイッチに当たる構造のキー構造体を備えることを特徴とする電子機器。
【００５３】
（付記５）前記窪み部の幅は、電子機器を保持するホルダから突出して前記電子機器の外面に接触する突起の幅よりも広く、前記トップ部の前記窪み部に前記ホルダの前記突起が入る第４の状態のときに、前記シャフト部の先端、もしくは前記シャフト部の先端が前記支持部材で覆われている場合には前記支持部材の先端が前記スイッチから離れることを特徴とする付記４に記載の電子機器。
【００５４】
（付記６）前記窪み部の幅は指先の幅よりも狭いことを特徴とする付記４または５に記載の電子機器。
【００５５】
（付記７）前記第２の状態では前記トップ部の他方の端部側の前記フランジ部と前記ケースの内面との接点を支点にして前記キーが回転することによって前記キーが傾くことを特徴とする付記４乃至６のいずれか一つに記載の電子機器。
【符号の説明】
【００５６】
１  電子機器
２  ケース
４  キー
８  貫通孔
１１  トップ部
１４  窪み部
１５  シャフト部
１６，１７  フランジ部
２１  支持部材
３１  スイッチ
４２  ホルダ
４３  突起
５１，５２  圧縮コイルバネ
【図１】
2014199771.tif 000003
【図２】
2014199771.tif 000004
【図３】
2014199771.tif 000005
【図４】
2014199771.tif 000006
【図５】
2014199771.tif 000007
【図６】
2014199771.tif 000008
【図７】
2014199771.tif 000009
【図８】
2014199771.tif 000010
【図９】
2014199771.tif 000011
【図１０】
2014199771.tif 000012
【図１１】
2014199771.tif 000013